(57)【要約】【課題】主に各種電子機器の操作に用いられるリモコン送信機に関し、簡易な構成で、リモコン送信機内に浸入した液体を外方へ排出可能で、操作が確実なものを提供することを目的とする。【解決手段】下ケース２１底面に幅方向へ立設した複数のリブ２１Ｂに、底面に達する切欠部２１Ｇを形成すると共に、下ケース２１下面に外方へ貫通する通孔２１Ｊを設けることによって、飲料水等の液体がリモコン送信機に浸入したとしても、リブ２１Ｂ間の液体はリブの切欠部２１Ｇを通過して流動し、通孔２１Ｊから外方へ排出され、電池収納部２１Ｃへ浸入しないため、電池間や電池と電極１０との接触部に液体が付着することがなく、これらの接触に支障をきたすことが生じ難いため、操作が確実なものを得ることができる。【選択図】図１
2010166470.tif 000002
【特許請求の範囲】
【請求項１】
略箱型の上ケースと、この上ケースの下面に装着された上方開口で底面に幅方向へ複数のリブが立設した略箱型の下ケースと、前記上ケース上面に突出した操作体の操作によって電気的接離を行うスイッチ接点と、前記スイッチ接点の電気的接離に応じて、送信手段からリモコン信号を送信する制御手段からなり、前記下ケースの前記リブに前記底面に達する切欠部を形成すると共に、下ケース底面に外方へ貫通する通孔を設けたリモコン送信機。
【発明の詳細な説明】
【技術分野】
【０００１】
本発明は、主に各種電子機器の遠隔操作に用いられるリモコン送信機に関するものである。
【背景技術】
【０００２】
近年、映像や音響、空調機器等の各種電子機器を遠隔操作するリモコン送信機は、居間や車内など様々な使用状況で用いられており、飲料水等を多少リモコン送信機に溢した場合でも、確実な操作が行えるものが求められている。
【０００３】
このような従来のリモコン送信機について、図４及び図５を用いて説明する。
【０００４】
図４は従来のリモコン送信機の断面図、図５は同分解斜視図であり、同図において、１は略箱型で絶縁樹脂製の上ケース、２はゴム等の操作体で、操作体２には下方の略ドーム状の薄肉部によって、連結形成された複数の操作部２Ａが設けられると共に、この複数の操作部２Ａ上面が、上ケース１上面の複数の開口孔から上下動可能に突出している。
【０００５】
そして、３は上下面に複数の配線パターン（図示せず）が形成された配線基板で、この上面に操作体２が載置されると共に、操作体２の外周縁に設けた突状部が配線基板３と上ケース１下面の間に挟持されている。
【０００６】
また、配線基板３上面にはカーボン等の複数の固定接点３Ａが設けられ、この固定接点３Ａが操作部２Ａ下面に各々形成されたカーボン等の可動接点（図示せず）と、所定の間隙を空けて対向して複数のスイッチ接点４が形成されている。
【０００７】
さらに、配線基板３の上下面には、発光ダイオード等の送信手段５やマイコン等の制御手段６が各々実装されると共に、前部には弾性材の接続体７を介して液晶ディスプレイなどの表示体８が載置され、表示体８上方の上ケース１面には透光性のフィルムシート９が貼付されている。
【０００８】
そして、１０は金属線製の電池接続用の電極で、配線基板３の後部下面に所定の間隔を空けて対向して各々固着されている。
【０００９】
また、１１は上方開口の略箱型で絶縁樹脂製の下ケースで、内側底面の両側壁近傍に長手方向に沿って複数の支持ボス１１Ａや、この支持ボス１１Ａ両側面に幅方向へ延びる複数のリブ１１Ｂが形成され、支持ボス１１Ａ上に配線基板３が支持されている。
【００１０】
さらに、１１Ｃは下ケース１１下面から上方へ凸状に空間が形成された電池収納部で、この電池収納部１１Ｃ上面の長手方向両側に設けられた複数の開口部１１Ｄに、上方から電極１０が延出すると共に、電池収納部１１Ｃの後側には、隔壁（図示せず）を介して隣接し、下ケース１１下面から上方へ凸状に突出した収容部１１Ｅが形成されている。
【００１１】
そして、１２は絶縁樹脂製の電池蓋で、下ケース１１の電池収容部１１Ｃを覆うと共に、後側の略Ｕ字状の係合部１２Ａが収容部１１Ｅ内に係止されて保持されている。
【００１２】
また下ケース１１の幅方向の両内側に、内方へ突出した係止部１１Ｆが、これらに対応して上ケース１外側面に内側へ切り欠いた保持部１Ａに嵌合して、上ケース１と下ケース１１が位置決めされると共に、複数のビス１３によって上ケース１と下ケース１１が固定されて、リモコン送信機が構成されている。
【００１３】
以上の構成において、上ケース１上面から突出した所定の操作部２Ａを押圧操作すると、操作部２Ａが下方へ移動し、この下面の可動接点が固定接点３Ａに接触して、スイッチ接点４の電気的接離が行われ、この電気的接離に応じて制御手段６が、送信手段５から赤外線のリモコン信号を電子機器へ送信し、例えば、エアコンの電源の入／切が遠隔操作によって行われる。
【００１４】
なお、このようなリモコン送信機を操作している時や机上に置かれている時に、例えば、誤って飲料水等の液体をリモコン送信機に溢して、上ケース１の操作部２Ａが突出した開口部や、上ケース１と下ケース１１が位置決めされる保持部１Ａ等が被水した場合でも、ゴム製の操作体２外周縁の突状部を配線基板３と上ケース１下面との間で挟持することによって、操作体２の外周縁から配線基板３や下ケース１１内へは液体が流入しないようになっている。
【００１５】
ただし、上ケース１の保持部１Ａの隙間から下ケース１１内部へ液体が浸入した場合には、これが電池収納部１１Ｃの側部に位置する複数のリブ１１Ｂの間の底面に溜まる可能性のあるものであった。
【００１６】
なお、この出願の発明に関連する先行技術文献情報としては、例えば、特許文献１が知られている。
【特許文献１】特開２００５−１７４６２８号公報
【発明の開示】
【発明が解決しようとする課題】
【００１７】
しかしながら、上記従来のリモコン送信機においては、飲料水等の液体がリモコン送信機に浸入した場合、複数のリブ１１Ｂ間に溜まった液体が、リモコン送信機を手に持って操作した際や、さらに液体が浸入して大量に溜まった時など、近傍の電池収納部１１Ｃの電極１０が延出する開口部１１Ｄから電池収納部１１Ｃ内に浸入し、電池（図示せず）間や電池と電極１０間に付着して、これらの接触が不安定になってしまう可能性があるという課題があった。
【００１８】
本発明は、このような従来の課題を解決するものであり、簡易な構成で、リモコン送信機内に浸入した液体を外方へ排出可能で、操作が確実なリモコン送信機を提供することを目的とする。
【課題を解決するための手段】
【００１９】
上記目的を達成するために本発明は、下ケース底面に幅方向へ立設した複数のリブに、底面に達する切欠部を形成すると共に、下ケース下面に外方へ貫通する通孔を設けてリモコン送信機を構成したものであり、飲料水等の液体がリモコン送信機内に浸入したとしても、リブ間の液体はリブの切欠部を通過して流動し、通孔から外方へ流れ、電池収納部へ浸入しないため、電池間や電池と電極との接触部に液体が付着することを防ぎ、これらの接触に支障をきたすことが生じ難いため、操作が確実なリモコン送信機を得ることができるという作用を有するものである。
【発明の効果】
【００２０】
以上のように本発明によれば、簡易な構成で、リモコン送信機内に浸入した液体を外方へ排出可能で、操作が確実なリモコン送信機を実現できるという有利な効果が得られる。
【発明を実施するための最良の形態】
【００２１】
以下、本発明の実施の形態について、図１〜図３を用いて説明する。
【００２２】
なお、背景技術の項で説明した構成と同一構成の部分には同一符号を付して、詳細な説明を簡略化する。
【００２３】
（実施の形態）
図１は本発明の一実施の形態によるリモコン送信機の断面図、図２は同分解斜視図であり、同図において、１は略箱型でポリスチレンやＡＢＳ等の絶縁樹脂製の上ケース、２はシリコーンゴムやエラストマー等の操作体で、操作体２には下方の略ドーム状の薄肉部によって、連結形成された複数の操作部２Ａが設けられると共に、この複数の操作部２Ａ上面が、上ケース１上面の複数の開口孔から上下動可能に各々突出している。
【００２４】
そして、３は上下面に複数の配線パターン（図示せず）が形成された配線基板で、この上面に操作体２が載置されると共に、操作体２の外周縁に設けた突状部が配線基板３と上ケース１下面の間に挟持されている。
【００２５】
また、配線基板３上面にはカーボン等の複数の固定接点３Ａが設けられ、この固定接点３Ａが各操作部２Ａ下面に形成されたカーボン等の可動接点（図示せず）と、所定の間隙を空けて対向して複数のスイッチ接点４が形成されている。
【００２６】
さらに、配線基板３の上下面には、発光ダイオード等の送信手段５やマイコン等の制御手段６が各々実装されると共に、前部には弾性材の接続体７を介して液晶ディスプレイなどの表示体８が載置され、表示体８上方の上ケース１上面には透光性のフィルムシート９が貼付されている。
【００２７】
そして、１０は金属線製の電池接続用の電極で、配線基板３の後部下面に所定の間隔を空けて対向して、はんだ付け等によって配線基板３の配線パターンに各々固着されている。
【００２８】
また、２１は上方開口の前後方向に長い略箱型でポリスチレンやＡＢＳ等の絶縁樹脂製の下ケースで、内側底面の両側壁近傍に長手方向に沿って複数の支持ボス２１Ａや、この支持ボス２１Ａ両側面に幅方向へ延びる複数のリブ２１Ｂが形成され、支持ボス２１Ａ上に配線基板３が支持されている。
【００２９】
さらに、２１Ｃは下ケース２１下面から上方へ凸状に空間が形成された電池収納部で、この電池収納部２１Ｃ上面の長手方向両側に設けられた複数の開口部２１Ｄに、上方から電極１０が延出すると共に、電池収納部２１Ｃの後側には、隔壁（図示せず）を介して隣接し、下ケース２１下面から上方へ凸状に突出した収容部２１Ｅが形成されている。
【００３０】
なお、下ケース２１底面には、上方へ突出した電池収納部２１Ｃの両側方に、前後方向の略中間を頂点として前後方向へ下降する湾曲部２１Ｆが形成されている。
【００３１】
そして、電池収納部２１Ｃ周辺に配設された支持ボス２１Ａの内側のリブ２１Ｂには、電池収納部２１Ｃとの間に底面に達する切欠部２１Ｇが各々形成されている。
【００３２】
また、湾曲部２１Ｆの後部の最下部近傍には、収容部２１Ｅの両側に形成した側方開口部２１Ｈと、これに連なり下方へ貫通する通孔２１Ｊが各々設けられている。
【００３３】
つまり、下ケース２１底面には、電池収納部２１Ｃ周囲に幅方向へ延びるリブ２１Ｂに切欠部２１Ｇが設けられると共に、電池収納部２１Ｃと隔絶された収容部２１Ｅ内に通孔２１Ｊが設けられ、湾曲部２１Ｆに液体が浸入したとしても、液体が湾曲部２１Ｆの傾斜に沿って複数の切欠部２１Ｇを通過して流れ、通孔２１Ｊを介して下ケース２１下面の外方へ排出されるように形成されている。
【００３４】
そして、１２は絶縁樹脂製の電池蓋で、下ケース２１の電池収納部２１Ｃを覆うと共に、後側の略Ｕ字状の係合部１２Ａが収容部２１Ｅ内に係止されて保持されている。
【００３５】
また、下ケース２１の幅方向の両内側に、内方へ突出した係止部２１Ｋが、これらに対応して上ケース１外側面に内側へ切り欠いた保持部１Ａに嵌合して、上ケース１と下ケース２１が位置決めされると共に、複数のビス１３により下ケース２１内周近傍の複数の締結ボス２１Ｌを介して、上ケース１と下ケース２１が固定されて、リモコン送信機が構成されている。
【００３６】
以上の構成において、上ケース１上面から突出した所定の操作部２Ａを押圧操作すると、操作部２Ａが下方へ移動し、この下面の可動接点が固定接点３Ａに接触して、スイッチ接点４の電気的接離が行われ、この電気的接離に応じて制御手段６が、送信手段５から赤外線のリモコン信号を電子機器へ送信し、例えば、エアコンの電源の入／切が遠隔操作によって行われる。
【００３７】
なお、このようなリモコン送信機を操作している時や机上に置かれている時に、例えば、誤って飲料水等の液体をリモコン送信機に溢し、上ケース１の操作部２Ａが突出した開口部や、上ケース１と下ケース２１が位置決めされる保持部１Ａ等が被水する場合がある。
【００３８】
しかし、この時、ゴム製の操作体２外周縁の突状部が配線基板３と上ケース１下面との間で挟持されているため、液体は操作体２の外方へは流動せず、配線基板３や下ケース２１内には浸入しないようになっている。
【００３９】
さらに、本発明においては、上ケース１の保持部１Ａの隙間から内部へ液体が浸入した場合でも、図３の下ケース２１の要部平面図に示すように、保持部１Ａと係止部２１Ｋの間から浸入した液体は、矢印で示す経路で下ケース２１底面に入った後、湾曲部２１Ｆの傾斜に沿いながら、リブ２１Ｂと電池収納部２１Ｃ間の切欠部２１Ｇを通過して流動し、収容部２１Ｅの両側部の通孔２１Ｊから下ケース２１下面の外方へ排出されるように構成されている。
【００４０】
すなわち、上ケース１上方からの液体の浸入に加え、上ケース１や下ケース２１側方からの液体の浸入に対しても、下ケース２１底面のリブ２１Ｂに底面に達する切欠部２１Ｇを形成すると共に、下ケース２１下面に外方へ貫通する通孔２１Ｊを設けることで、これらが電池や電極１０等に付着することを防ぎ、確実な操作が行えるようになっている。
【００４１】
このように本実施の形態によれば、下ケース２１底面に幅方向へ立設した複数のリブ２１Ｂに、底面に達する切欠部２１Ｇを形成すると共に、下ケース２１下面に外方へ貫通する通孔２１Ｊを設けることによって、飲料水等の液体がリモコン送信機に浸入したとしても、リブ２１Ｂ間の液体はリブの切欠部２１Ｇを通過して流動し、通孔２１Ｊから外方へ排出され、電池収納部２１Ｃへ浸入しないため、電池間や電池と電極１０との接触部に液体が付着することがなく、これらの接触に支障をきたすことが生じ難いため、操作が確実なリモコン送信機を得ることができるものである。
【００４２】
なお、以上の説明では、配線基板３上面の複数の固定接点３Ａと、この上面に載置された操作体２の操作部２Ａ下面の可動接点によって、複数のスイッチ接点４を形成した構成について説明したが、配線基板３上面の固定接点上に、略ドーム状で導電金属薄板製の可動接点を載置したものや、或いは配線基板３上に、複数の個別のプッシュスイッチを実装したもの等、様々なスイッチ接点を用いた構成においても、本発明の実施は可能である。
【産業上の利用可能性】
【００４３】
本発明によるリモコン送信機は、簡易な構成で、リモコン送信機内に浸入した液体を外方へ排出可能で、操作が確実なものが得られ、主に各種電子機器の操作用として有用である。
【図面の簡単な説明】
【００４４】
【図１】本発明の一実施の形態によるリモコン送信機の断面図
【図２】同分解斜視図
【図３】同下ケースの要部平面図
【図４】従来のリモコン送信機の断面図
【図５】同分解斜視図
【符号の説明】
【００４５】
１  上ケース
１Ａ  保持部
２  操作体
２Ａ  操作部
３  配線基板
４  スイッチ接点
５  送信手段
６  制御手段
７  接続体
８  表示体
９  フィルムシート
１０  電極
１２  電池蓋
１２Ａ  係合部
１３  ビス
２１  下ケース
２１Ａ  支持ボス
２１Ｂ  リブ
２１Ｃ  電池収納部
２１Ｄ  開口部
２１Ｅ  収容部
２１Ｆ  湾曲部
２１Ｇ  切欠部
２１Ｈ  側方開口部
２１Ｊ  通孔
２１Ｋ  係止部
２１Ｌ  締結ボス
【図１】
2010166470.tif 000003
【図２】
2010166470.tif 000004
【図３】
2010166470.tif 000005
【図４】
2010166470.tif 000006
【図５】
2010166470.tif 000007